(57)【特許請求の範囲】
【請求項１】
複数個の操作ボタンを備えたボタン操作部と、ボタン操作部の各操作ボタンからの操作情報に基づいて、送受信部および表示部を制御する制御部と、制御部により制御されて操作情報等を表示する表示部と、制御部により制御されて無線情報の送受信を行なう送受信部と、を有する携帯電話端末であって、
ボタン操作部の操作ボタンによる操作情報に対応して、少なくとも一つの文字から成る文字列が読み書き可能に登録される操作文字登録装置を設けるとともに、
上記制御部が、切り替え可能な複数の入力モードを備えており、各入力モードに関して、上記操作文字登録装置に、各操作ボタンの操作情報に対応して、それぞれ文字列情報が登録される
ことを特徴とする携帯電話端末。
【請求項２】
上記操作文字登録装置に、初期情報としてのボタン操作部の各操作ボタンの操作情報に対応した文字列情報が登録され、
文字列情報の読出の際に、初期情報と、読み書き可能に登録された文字列情報とを切り替える入力切替え手段を備えたことを特徴とする請求項１に記載の携帯電話端末。
【請求項３】
初期情報としてのボタン操作部の各操作ボタンの操作情報に対応した文字列情報が読出可能に登録される読出専用記憶装置と、
文字列情報の読出の際に、操作文字登録装置と読出専用記憶装置とを切り替える入力切替え手段と、
を備えていることを特徴とする請求項１または２に記載の携帯電話端末。
【請求項４】
複数個の操作ボタンを備えたボタン操作部と、ボタン操作部の各操作ボタンからの操作情報に基づいて、送受信部および表示部を制御する制御部と、制御部により制御されて操作情報等を表示する表示部と、制御部により制御されて無線情報の送受信を行なう送受信部と、を有する携帯電話端末の文字入力方法であって、
上記制御部が、操作文字登録装置から、ボタン操作部の操作ボタンによる操作情報に対応して読み書き可能に登録された少なくとも一つの文字から成る文字列を、読み出すとともに、
上記制御部が、切り替え可能な複数の入力モードを備えており、各入力モードに関して、上記操作文字登録装置に、各操作ボタンの操作情報に対応して、それぞれ文字列情報が登録される
ことを特徴とする携帯電話端末の文字入力方法。
【発明の詳細な説明】
【０００１】
【発明の属する技術分野】
本発明は、携帯電話端末に関し、特にボタン操作部により文字を入力するための技術に関する。
【０００２】
【従来の技術】
従来、種々の携帯電話端末が使用されている。
これらの携帯電話端末は、小型化の要請により、限られた数の操作ボタンから成るボタン操作部を備えており、使用者は、ボタン操作部の各操作ボタンの操作によって、例えば電話帳登録やメール本文に関して所望の入力操作を行なうようになっている。
このため、文字入力の操作性を向上させるため、以下のような文字入力方法を利用している。
【０００３】
図７は、従来の携帯電話端末の一例の構成を示している。
図７において、携帯電話端末９０は、ボタン操作部９１と、制御部９２と、表示部９３と、無線送受信部９４と、読出専用記憶装置９５と、から構成されている。
上記ボタン操作部９１は、複数個の操作ボタン、例えばテンキーおよびいくつかの機能キーとして作用する操作ボタンを備えており、各操作ボタンの操作により、送信または受信等に必要な入力を行なうようになっている。
【０００４】
上記制御部９２は、上述したボタン操作部９１，表示部９３，送受信部９７を駆動制御することにより、携帯電話サービスのネットワークを利用して、位置登録や発信および受信、そして通話およびデータ通信等を行なうようになっている。
ここで、上記制御部９２は、ボタン操作部９１からの入力操作による操作情報に基づいて、操作情報を解析し、表示部９３に所定の表示を行なうと共に、送受信部９４を制御する。
【０００５】
上記表示部９３は、例えば液晶表示装置から構成されており、制御部９２により制御されることにより、ボタン操作部９１の操作時や送信時および受信時等に各種所定の表示を行なうようになっている。
上記送受信部９４は、制御部９２により制御され、図示しないアンテナを介して、携帯電話サービスのネットワークに接続して、音声信号やデータ信号等の無線情報の送受信を行なうものである。すなわち、送受信部９４は、受信時には、受信した情報を制御部９２に伝送し、また送信時には、制御部９２からの送信要求された情報を送信する。
【０００６】
上記読出専用記憶装置９５は、ＲＯＭとして構成されており、前もって所定の文字または文字列の情報（以下、文字列情報という）が記憶されている。
この文字列情報は、使用者がボタン操作部９１の所定の操作ボタンを操作することにより、ボタン操作部９１により入力された操作情報として、制御部９２に出力され、制御部９２が、読出専用記憶装置９５からこの操作情報に対応する文字または文字列を読み出し、表示部９３に表示する。
【０００７】
例えば、ボタン操作部９１の入力モード切り替え操作により、「かな」モードに設定されている場合、ボタン操作部９１の「１」ボタンを操作する。これにより、制御部９２は、一操作毎に、読出専用記憶装置９５から対応する文字を読み出して、表示部９３に表示する。そして、表示部９３に表示される文字は、「あ」→「い」→「う」→「え」→「お」→「あ」→・・・と変化する。また、「＊」ボタンを操作すると、同様にして、表示部９３に表示される文字は、濁点「゛」→半濁点「゜」→濁点「゛」→・・・と変化する。
【０００８】
そして、所望の文字が表示されているときに、ボタン操作部９１の確定ボタンを操作する等の確定操作により、入力文字が確定し、次の文字の入力待ち状態となる。
このようにして、入力モード切り替えにより、「かな」モード，「カナ」モード，「英字」モードおよび「数字」モードを適宜に切り替えて、ボタン操作部９１の各操作ボタンを操作することによって、所望の文章等を入力することができるようになっている。
【０００９】
このような構成の携帯電話端末９０によれば、使用者がボタン操作部９１により入力操作を行なう場合、ボタン操作部９１の各操作ボタンの単独操作または組合せ操作を行なうことにより、所望の文字入力を行なうことができると共に、さらに所定の操作ボタンの操作によって、読出専用記憶装置９５に前もって記憶された文字列情報を読み出すことにより、容易に文字や文字列の入力を行なうことができる。
【００１０】
【発明が解決しようとする課題】
しかしながら、このような読出専用記憶装置９５を備えた携帯電話端末９０においては、読出専用記憶装置９５に記憶された文字列情報は、読出は可能であるが、使用者がボタン操作部９１を操作して書き換えることができない。
したがって、読出専用記憶装置９５を利用して、入力できる文字または文字列は、前もって読出専用記憶装置９５に記憶されている文字列情報に限定されてしまい、個々の使用者がよく利用する文字列情報を記憶させて、利用しやすいようにカスタマイズすることができない。
また、使用者が、他の携帯電話端末を利用する場合、例えば携帯電話端末を買い換えるような場合に、使い慣れた携帯電話端末に登録された文字列情報を利用することができず、操作性が低下してしまう。
【００１１】
本発明は、上記の問題を解決すべくなされたものであり、使用者が所望の文字列を書き換え可能に登録しておくことにより、文字入力の操作性、特に外字や文字列の入力操作性を向上させるようにした、携帯電話端末およびその文字入力方法の提供を目的とする。
【００１２】
【課題を解決するための手段】
この目的を達成するため、本発明の請求項１記載の携帯電話端末は、複数個の操作ボタンを備えたボタン操作部と、ボタン操作部の各操作ボタンからの操作情報に基づいて、送受信部および表示部を制御する制御部と、制御部により制御されて操作情報等を表示する表示部と、制御部により制御されて無線情報の送受信を行なう送受信部と、を有する携帯電話端末であって、ボタン操作部の操作ボタンによる操作情報に対応して、少なくとも一つの文字から成る文字列が読み書き可能に登録される操作文字登録装置を設けるとともに、上記制御部が、切り替え可能な複数の入力モードを備えており、各入力モードに関して、上記操作文字登録装置に、各操作ボタンの操作情報に対応して、それぞれ文字列情報が登録される構成としてある。
【００１３】
携帯電話端末をこのような構成とすると、前もってボタン操作部の操作ボタンを操作して、各操作ボタンに対応する文字列情報を操作文字登録装置に登録しておく。これにより、使用者がボタン操作部により入力操作を行なう場合に、操作文字登録装置に登録されている文字列情報を読み出すことにより、例えば使用者自身がよく使用する文字や文字列等を簡単に、そして迅速に入力することができる。
【００１４】
したがって、使用者は、使用頻度の高い既存の文字，一般に入力操作が複雑となる外字や記号、そしてこれらの組合せである定型文等を、任意の操作ボタンに対応して登録することができるので、例えば電話帳登録やメール本文あるいはメールアドレスの入力の際に、外字や比較的長い文字列であっても、容易に、しかも迅速に入力作業を行なうことができる。
さらに、操作文字登録装置に登録される文字列情報は、読み書き可能であるので、使用者は、必要に応じて、既に操作文字登録装置に登録されている文字列情報を変更したり、あるいは削除することができる。
【００１５】
また、使用者が、携帯電話端末の買換え等により、別の携帯電話端末を使用する場合には、既存の携帯電話端末の操作文字登録装置から新たな携帯電話端末の操作文字登録装置に対して、登録されている文字列情報を転送することにより、新たな携帯電話端末においても、使い慣れた入力操作性を維持することが可能である。
【００１６】
さらに、携帯電話端末をこのような構成とすると、例えば「かな」入力モード，「カナ」入力モード，「英字」入力モード等の各入力モードに関して、各操作ボタンに対応した文字列情報を、操作文字登録装置に登録することができるので、より多くの文字列情報を登録することが可能となる。したがって、より一層入力操作性が向上することになる。
【００１７】
請求項２記載の携帯電話端末は、上記操作文字登録装置に、初期情報としてのボタン操作部の各操作ボタンの操作情報に対応した文字列情報が登録され、
文字列情報の読出の際に、初期情報と、読み書き可能に登録された文字列情報とを切り替える入力切替え手段を備えた構成としてある。
【００１８】
携帯電話端末をこのような構成とすると、従来の携帯電話端末と同様に、操作文字登録装置に、初期情報としての文字列情報が登録されているので、使用者は、操作文字登録装置に自ら文字列情報を登録していない状態においても、前もって登録された初期情報としての文字列情報を読み出して、従来と同様の入力操作を行なうことができると共に、使用頻度の高い文字列情報を操作文字登録装置に登録することにより、容易かつ迅速に入力操作を行なうことができる。
ここで、制御部は、ボタン操作部からの操作情報に基づいて、入力切替え手段を適宜に切り替えることにより、初期状態の文字列情報と、ボタン操作部からの操作情報により登録された文字列情報とを、適宜に切り替えて読み出すことができる。
【００１９】
請求項３記載の携帯電話端末は、初期情報としてのボタン操作部の各操作ボタンの操作情報に対応した文字列情報が読出可能に登録される読出専用記憶装置と、操作文字登録装置または読出専用記憶装置とを切り替える入力切替え手段と、を備えている構成としてある。
携帯電話端末をこのような構成とすると、従来の携帯電話端末と同様に、読出専用記憶装置に初期情報としての文字列情報が登録されているので、使用者は、操作文字登録装置に文字列情報が登録されていない状態においても、読出専用記憶装置に登録された初期情報としての文字列情報を読み出して、従来と同様の入力操作を行なうことができると共に、使用頻度の高い文字列情報を操作文字登録装置に登録することにより、容易かつ迅速に入力操作を行なうことができる。
ここで、制御部は、ボタン操作部からの操作情報に基づいて、入力切替え手段を適宜に切り替えることにより、読出専用記憶装置に登録された初期状態の文字列情報と、操作文字登録装置に登録された文字列情報とを、適宜に切り替えて読み出すことができる。
【００２０】
また、この目的を達成するため、本発明の請求項４記載の携帯電話端末の文字入力方法は、複数個の操作ボタンを備えたボタン操作部と、ボタン操作部の各操作ボタンからの操作情報に基づいて、送受信部および表示部を制御する制御部と、制御部により制御されて操作情報等を表示する表示部と、制御部により制御されて無線情報の送受信を行なう送受信部とを有する携帯電話端末の文字入力方法であって、上記制御部が、操作文字登録装置から、ボタン操作部の操作ボタンによる操作情報に対応して読み書き可能に登録された少なくとも一つの文字から成る文字列を、読み出すとともに、上記制御部が、切り替え可能な複数の入力モードを備えており、各入力モードに関して、操作文字登録装置に、各操作ボタンの操作情報に対応して、それぞれ文字列情報が登録される構成としてある。
【００２１】
携帯電話端末の文字入力方法をこのような構成とすると、前もってボタン操作部の操作ボタンを操作して、各操作ボタンに対応する文字列情報を操作文字登録装置に登録しておく。これにより、使用者がボタン操作部により入力操作を行なう場合に、操作文字登録装置に登録されている文字列情報を読み出すことにより、例えば使用者自身がよく使用する文字や文字列等を、簡単にそして迅速に入力することができる。
したがって、使用者は、使用頻度の高い既存の文字，外字や記号、そしてこれらの組合せである定型文等を、任意の操作ボタンに対応して登録することができるので、例えば電話帳登録やメール本文あるいはメールアドレスの入力の際に、容易に、しかも迅速に入力作業を行なうことができる。
さらに、操作文字登録装置に登録される文字列情報は、読み書き可能であるので、使用者は、必要に応じて、既に操作文字登録装置に登録されている文字列情報を変更したり、あるいは削除することができる。
また、使用者が、携帯電話端末の買換え等により、別の携帯電話端末を使用する場合には、既存の携帯電話端末の操作文字登録装置から新たな携帯電話端末の操作文字登録装置に対して、登録されている文字列情報を転送することにより、新たな携帯電話端末においても、使い慣れた入力操作性を維持することが可能である。
【００２２】
さらに、携帯電話端末の文字入力方法をこのような構成とすると、例えば「かな」入力モード，「カナ」入力モード，「英字」入力モード等の各入力モードに関して、各操作ボタンに対応した文字列情報を、操作文字登録装置に登録することができるので、より多くの文字列情報を登録することが可能となる。したがって、より一層入力操作性が向上することになる。
【００２３】
このようにして、本発明による携帯電話端末およびその文字入力方法によれば、使用頻度の高い文字（既存の文字や外字，記号を含む）や文字列（例えば定型文やメールアドレス等）に関する文字列情報を、前もって操作文字登録装置に登録しておくことにより、これらの文字列情報を、容易かつ迅速に読み出して、入力することができる。
これにより、携帯電話端末における外字や定型文を含む文字入力の操作性が向上すると共に、携帯電話端末を変更する場合には、操作文字登録装置に登録された文字列情報を転送することにより、新たな携帯電話端末においても、文字入力の操作性を維持することができる。
【００２４】
【発明の実施の形態】
以下、本発明の実施の形態について、図面を参照して説明する。
まず、本発明の携帯電話端末の第一の実施形態について、図１を参照して説明する。
図１は、本実施形態による携帯電話端末の構成を示すブロック図である。
【００２５】
図１に示すように、携帯電話端末１０は、ボタン操作部１１，制御部１２，表示部１３，無線送受信部１４，入力切替え手段１５および操作文字登録装置１６から構成されている。
【００２６】
上記ボタン操作部１１は、複数個の操作ボタン（図示せず）、例えばテンキーおよびいくつかの機能キーとして作用する操作ボタンを備えており、使用者が手指にていずれか一つまたは複数個の操作ボタンを操作することにより、所定の操作情報（キーコード）を出力するようになっている。
【００２７】
上記制御部１２は、従来の携帯電話端末における制御部と同様にして、上述したボタン操作部１１，表示部１３および送受信部１４を駆動制御することにより、携帯電話サービスのネットワークを利用して、位置登録や発信および受信、そして通話およびデータ通信を行なうようになっている。
ここで、上記制御部１２は、ボタン操作部１１からの入力操作による操作情報に基づいて、操作情報を解析し、表示部１３に所定の表示を行なうと共に、送受信部１４を制御する。
【００２８】
上記表示部１３は、例えば液晶ドットマトリックス式ディスプレイとして構成されており、制御部１２により制御されることにより、ボタン操作部１１の操作時や送信時および受信時等に各種所定の表示を行なうようになっている。
【００２９】
上記送受信部１４は、制御部１２により制御され、図示しないアンテナを介して、携帯電話サービスのネットワークに接続して、音声信号やデータ信号等の無線情報の送受信を行なうものである。すなわち、送受信部１４は、受信時には、受信した情報を制御部１２に伝送し、また送信時には、制御部１２からの送信要求された情報を送信する。
【００３０】
上記入力切替え手段１５は、ボタン操作部１１からの操作情報に基づいて、切り替えを行ない、後述する操作文字登録装置１６から、初期情報としての文字列情報を読み出すか、あるいはボタン操作部１１からの操作情報により登録されたカスタマイズ情報としての文字列情報を読み出すかを設定する。
【００３１】
上記操作文字登録装置１６は、前もってボタン操作部１１の各操作ボタンに対応した文字列情報が、入力モード毎にそれぞれ読み書き可能に登録されている。なお、操作文字登録装置１６は、好ましくは、初期状態として、通常の文字列情報が登録されていると共に、ボタン操作部１１からの操作情報により設定されるカスタマイズ情報としての文字列情報が登録される。
【００３２】
これにより、携帯電話端末１０を使用開始する場合、操作文字登録装置１６にカスタマイズ情報としての文字列情報が登録されていない状態でも、従来の携帯電話端末と同様にして、操作文字登録装置１６に前もって登録された初期状態の文字列情報を利用して、入力操作を行なうことができるようになっている。
【００３３】
次に、本実施形態の携帯電話端末１０の文字入力方法の動作について、図２〜図４を参照して説明する。
携帯電話端末１０は、図２に示す文字列登録作業，図４に示す文字入力作業の各ステップで利用される。
【００３４】
まず、文字列登録作業について、図２を参照して説明する。
図２において、ステップＡ１で示すように、ボタン操作部１１の操作ボタンを操作することにより、文字列登録モードに設定する。
これにより、制御部１２は、ボタン操作部１１からの操作情報に基づいて、文字列登録モードに切り替えて、入力待ち状態となる。
【００３５】
次に、ステップＡ２で示すように、ボタン操作部１１の操作ボタンを操作して、登録すべき文字列を入力する。
これにより、制御部１２は、入力された文字列を表示部１３の画面上に表示する。
【００３６】
続いて、ステップＡ３で示すように、ボタン操作部１１にて、登録すべき文字列に対応させるべき操作ボタンを操作する。
これにより、制御部１２は、入力された文字列と共に、対応する操作ボタンを表示部１３の画面上に表示する。
【００３７】
その後、ステップＡ４で示すように、ボタン操作部１１にて、所定の操作ボタンを操作することにより、文字列およびこれに対応する操作ボタンを確定させる。
これにより、制御部１２は、上述した文字列とこれに対応する操作ボタンを、操作文字登録装置１６に登録する。
その際、当該操作ボタンに対する登録文字列（カスタマイズ情報）が登録されている場合には、制御部１２は、この文字列を上書きすることにより、文字列を更新することになる。
【００３８】
また、文字列として空列を入力した場合には、制御部１２は、同様にして登録文字列に空列を上書きすることにより、操作文字登録装置１６に登録されている登録文字列を削除することも可能である。
以上で、文字列登録作業が完了する。
【００３９】
ここで、上記文字列登録作業においては、例えば図３に示すように、「かな」モードにおける文字列が登録される。
すなわち、「１」ボタンに関して、初期情報として、「あ」→「い」→「う」→「え」→「お」→「あ」・・・のように登録されているのに対して、登録例では、「あ」→「い」→「う」→「え」→「お」→「１」→「あ」・・・とカスタマイズ情報が登録される。
【００４０】
また、「２」ボタンに関して、初期情報として、「か」→「き」→「く」→「け」→「こ」→「か」・・・のように登録されているのに対して、登録例では、「か」→「き」→「く」→「け」→「こ」→「２」→「Ａ」→「Ｂ」→「Ｃ」→「か」・・・とカスタマイズ情報が登録される。
【００４１】
また、「＊」ボタンに関して、初期情報として、「、」→「。」→「ー」→「・」→「，」→「、」・・・と登録されているのに対して、登録例では、濁点「゛」→半濁点「゜」→「＊」→「http://www. 」→改行→濁点「゛」・・・とカスタマイズ情報が登録される。
【００４２】
さらに、「＃」ボタンに関して、初期情報として、濁点「゛」→半濁点「゜」→濁点「゛」・・・と登録されているのに対して、登録例では、「、」→「。」→「ー」→「・」→「，」→「＃」→「、」・・・とカスタマイズ情報が登録される。
【００４３】
次に、文字入力作業について、図４を参照して説明する。
図４において、ステップＢ１で示すように、ボタン操作部１１の操作ボタンを操作することにより、文字入力モードに設定すると共に、入力切り替えを行なう。
これにより、制御部１２は、ボタン操作部１１からの操作情報に基づいて、文字入力モードに切り替えると共に、入力切替え手段１５を切り替え制御して、文字入力待ち状態となる。
【００４４】
次に、ステップＢ２に示すように、ボタン操作部１１の操作ボタンを操作して、所望の入力モード、例えば「かな」モードに設定する。
これにより、制御部１２は、ボタン操作部１１からの操作情報に基づいて、入力モードを「かな」モードに切り替え、「かな」モードの旨を表示部１３の画面上に表示する。
【００４５】
続いて、ステップＢ３で示すように、ボタン操作部１１にて、入力しようとする文字に対応した操作ボタンを操作し、操作情報を出力する。
これにより、制御部１２は、ボタン操作部１１からの操作情報に基づいて、当該操作ボタンに対応する文字列情報として、操作文字登録装置１６から入力切替え手段１５により設定された初期情報またはカスタマイズ情報を読み出して、ステップＢ４で示すように、表示部１３の画面上に表示する。
【００４６】
このとき、例えば「１」ボタンが操作されると、制御部１２は、例えば入力切り替えがカスタマイズ情報に設定されている場合には、操作毎に、操作文字登録装置１６から文字列情報を読み出して、表示部１３の画面上に、順次に「あ」→「い」→「う」→「え」→「お」→「１」→「あ」・・・を表示する。
【００４７】
そして、ステップＢ５で示すように、ボタン操作部１１の操作ボタンを操作することにより、表示されている文字列を確定させる。
これにより、制御部１２は、表示部１３の画面上に表示されている文字列を確定させ、ステップＢ６に示すように、次の文字入力待ち状態となる。
【００４８】
ここで、ボタン操作部１１の操作ボタンを操作することにより、操作情報が入力されると、制御部１２は、ステップＢ７に示すように、操作情報が文字入力の操作情報である場合には、ステップＢ３に戻り、ステップＢ３〜Ｂ５にて、文字入力が行なわれる。
また、ステップＢ８に示すように、操作情報が入力モード切り替えの操作情報である場合には、ステップＢ２に戻り、入力モード切り替えが行なわれる。
【００４９】
さらに、ステップＢ９に示すように、操作情報が入力切り替えの操作情報である場合には、ステップＢ１に戻り、制御部１２が入力切替え手段１５を切り替え制御して、ステップＢ２に進む。
さらにまた、ステップＢ８にて、操作情報が、文字入力終了の操作情報である場合には、ボタン操作部１１の操作ボタンを操作することにより、文字入力終了を設定すると、制御部１２は、ステップＢ１０で示すように、文字入力モードを解除する。
以上で、文字入力作業が完了する。
【００５０】
このようにして、本発明実施形態による携帯電話端末１０によれば、操作文字登録装置１６に、前もって各入力モードにおける各操作ボタンに対応して、それぞれ通常の文字，外字，記号や、定型文，メールアドレス，ウェブアドレス等の文字列を登録しておくことにより、これらの文字や文字列を、簡単かつ迅速に読み出して入力することができるので、文字入力作業が容易になり、文字入力の操作性が向上することになる。
また、携帯電話端末１０を買い換え等により変更する場合には、操作文字登録装置１６に登録された文字列情報を、新たな携帯電話端末の操作文字登録装置１６に転送し、登録することによって、使用者は、入力しやすくカスタマイズした文字入力環境をそのまま引き続いて利用することができる。
【００５１】
次に、本発明の携帯電話端末の第二の実施形態について、図５を参照して説明する。
図５は、本実施形態による携帯電話端末の構成を示すブロック図である。
図５において、携帯電話端末２０は、基本的には図１に示した携帯電話端末１０とほぼ同様の構成であり、同じ構成要素には同じ符号を付して、その説明を省略する。
携帯電話端末２０は、ボタン操作部１１，制御部１２，表示部１３，送受信部１４，入力切替え手段１５，操作文字登録装置１６と、さらに読出専用記憶装置２１と、を有している。
【００５２】
ここで、読出専用記憶装置２１は、例えば読出専用のＲＯＭから構成されており、各操作ボタンに対応して、初期状態としての通常の文字列情報が登録されている。
なお、この場合、操作文字登録装置１６には、初期状態としての通常の文字列情報が登録されておらず、使用者が自ら登録した文字列情報、すなわちカスタマイズした文字列情報のみが登録されることになる。
【００５３】
このような構成の携帯電話端末２０においては、文字列登録作業は、図１の携帯電話端末１０と同様に、図２に示すようにして行なわれる。
次に、文字入力作業について、図６を参照して説明する。
図６において、ステップＣ１で示すように、ボタン操作部１１の操作ボタンを操作することにより、文字入力モードに設定すると共に、入力切り替えを行なう。
これにより、制御部１２は、ボタン操作部１１からの操作情報に基づいて、文字入力モードに切り替えると共に、入力切替え手段１５を切り替え制御して、文字入力待ち状態となる。
【００５４】
次に、ステップＣ２に示すように、ボタン操作部１１の操作ボタンを操作して、所望の入力モード、例えば「かな」モードに設定する。
これにより、制御部１２は、ボタン操作部１１からの操作情報に基づいて、入力モードを「かな」モードに切り替え、「かな」モードの旨を表示部１３の画面上に表示する。
【００５５】
続いて、ステップＣ３で示すように、ボタン操作部１１にて、入力しようとする文字に対応した操作ボタンを操作し、操作情報を出力する。
これにより、制御部１２は、ボタン操作部１１からの操作情報に基づいて、入力切替え手段１５により設定された読出専用記憶装置２１または操作文字登録装置１６から、初期情報としての文字列情報またはカスタマイズ情報としての文字列情報を読み出して、ステップＣ４で示すように、表示部１３の画面上に表示する。
このとき、例えば「１」ボタンが操作されると、制御部１２は、例えば入力切り替えがカスタマイズ情報に設定されている場合には、操作毎に、操作文字登録装置１６から文字列情報を読み出して、表示部１３の画面上に、順次に「あ」→「い」→「う」→「え」→「お」→「１」→「あ」・・・を表示する。
【００５６】
そして、ステップＣ５で示すように、ボタン操作部１１の操作ボタンを操作することにより、表示されている文字を確定させる。
これにより、制御部１２は、表示部１３の画面上に表示されている文字列を確定させ、ステップＣ６に示すように、次の文字入力待ち状態となる。
【００５７】
ここで、ボタン操作部１１の操作ボタンを操作することにより、操作情報が入力されると、制御部１２は、ステップＣ７に示すように、操作情報が文字入力の操作情報である場合には、ステップＣ３に戻り、ステップＣ３〜Ｃ５にて、文字入力が行なわれる。
また、ステップＣ８で示すように、操作情報が入力モード切り替えの操作情報である場合には、ステップＣ２に戻り、入力モード切り替えが行なわれる。
【００５８】
さらに、ステップＣ９で示すように、操作情報が入力切り替えの操作情報である場合には、ステップＣ１に戻り、制御部１２が入力切替え手段１５を切り替え制御して、ステップＣ２に進む。
さらにまた、ステップＣ８にて、操作情報が、文字入力終了の操作情報である場合には、ボタン操作部１１の操作ボタンを操作することにより、文字入力終了を設定すると、制御部１２は、ステップＣ１０で示すように、文字入力モードを解除する。
以上で、文字入力作業が完了する。
【００５９】
このようにして、本発明実施形態による携帯電話端末２０によれば、図１に示した携帯電話端末１０と同様に作用すると共に、初期情報としての文字列情報が読出専用記憶装置２１に登録されており、使用者がカスタマイズした文字列情報のみが操作文字登録装置１６に登録されるようになっているので、操作文字登録装置１６の記憶容量が少なくて済み、コストが低減されることになる。
【００６０】
また、操作文字登録装置１６を、携帯電話端末２０から着脱可能な例えばスティックメモリ，ＳＤメモリ，フラッシュメモリ等により構成することにより、他の携帯電話端末２０を使用する場合には、操作文字登録装置１６を新たな携帯電話端末２０に装着することにより、操作文字登録装置１６に登録された文字列情報を利用して、文字入力環境を引き続き利用することができる。
【００６１】
上述した実施形態においては、単に携帯電話端末として説明しているが、携帯電話端末には、例えば簡易型携帯電話端末であるＰＨＳや同様の携帯端末を含むことは明らかである。
【００６２】
【発明の効果】
以上のように、本発明によれば、前もってボタン操作部の操作ボタンを操作して、各操作ボタンに対応する文字列情報を操作文字登録装置に登録しておく。これにより、使用者がボタン操作部により入力操作を行なう場合に、操作文字登録装置に登録されている文字列情報を読み出すことにより、例えば使用者自身がよく使用する文字や文字列等を簡単に、そして迅速に入力することができる。
したがって、使用者は、使用頻度の高い既存の文字，一般に入力操作が複雑となる外字や記号、そしてこれらの組合せである定型文等を、任意の操作ボタンに対応して登録することができるので、例えば電話帳登録やメール本文あるいはメールアドレスの入力の際に、外字や比較的長い文字列であっても、容易に、しかも迅速に入力作業を行なうことができる。
【００６３】
さらに、操作文字登録装置に登録される文字列情報は、読み書き可能であるので、使用者は、必要に応じて、既に操作文字登録装置に登録されている文字列情報を変更したり、あるいは削除することができる。
また、使用者が、携帯電話端末の買換え等により、別の携帯電話端末を使用する場合には、既存の携帯電話端末の操作文字登録装置から新たな携帯電話端末の操作文字登録装置に対して、登録されている文字列情報を転送することにより、新たな携帯電話端末においても、使い慣れた入力操作性を維持することが可能である。
【００６４】
このようにして、本発明によれば、使用者が所望の文字列を書き換え可能に登録しておくことにより、文字入力の操作性、特に外字や文字列の入力操作性を向上させるようにした、極めて優れた携帯電話端末およびその文字入力方法が提供されることになる。
【図面の簡単な説明】
【図１】本発明による携帯電話端末の第一の実施形態の構成を示すブロック図である。
【図２】図１の携帯電話端末における文字列登録作業を示すフローチャートである。
【図３】図１の携帯電話端末における文字列登録例を示す図である。
【図４】図１の携帯電話端末における文字入力作業を示すフローチャートである。
【図５】本発明による携帯電話端末の第二の実施形態の構成を示すブロック図である。
【図６】図５の携帯電話端末における文字入力作業を示すフローチャートである。
【図７】従来の携帯電話端末の一例の構成を示すブロック図である。
【符号の説明】
１０  携帯電話端末
１１  ボタン操作部
１２  制御部
１３  表示部
１４  送受信部
１５  入力切替え手段
１６  操作文字登録装置
２０  携帯電話端末
２１  読出専用記憶装置
【図１】
0003655861.tif 000002
【図２】
0003655861.tif 000003
【図３】
0003655861.tif 000004
【図４】
0003655861.tif 000005
【図５】
0003655861.tif 000006
【図６】
0003655861.tif 000007
【図７】
0003655861.tif 000008